(57)【要約】  マルチキャリア・ワイヤレス電気通信ネットワークにおいてキャリア構成の変更を指示する制御メッセージの受信を承認する方法。マルチキャリア・ワイヤレス電気通信ネットワークは、電気通信ネットワークのセクター内において複数の無線周波数キャリアで信号を同時に伝送および受信するように動作可能な複数のネットワーク・ノードを含む。この方法は、制御メッセージを受信するステップと、制御メッセージの安全な受信の承認を符号化するステップと、安全な受信の承認を伝送し、安全な受信の承認の伝送の所定時間後に、安全な受信の承認を再伝送するステップとを含む。
2013534750.tif 000002
【特許請求の範囲】
【請求項１】
マルチキャリア・ワイヤレス電気通信ネットワークにおいてキャリア構成の変更を指示する制御メッセージの受信を承認する方法であって、前記マルチキャリア・ワイヤレス電気通信ネットワークは、前記電気通信ネットワークのセクター内において複数の無線周波数キャリアで信号を本質的に同時に伝送および受信するように動作可能な複数のネットワーク・ノードを含み、
前記制御メッセージを受信するステップと、
前記制御メッセージの安全な受信の承認を符号化するステップと、
安全な受信の前記承認を伝送し、安全な受信の前記承認の前記伝送の所定時間後に、安全な受信の前記承認を再伝送するステップと
を含む方法。
【請求項２】
複数の再伝送のステップをさらに含む請求項１に記載の方法。
【請求項３】
キャリア構成において指示された変更に応じてハードウェアを再構成するステップをさらに含む請求項１または請求項２に記載の方法。
【請求項４】
安全な受信の前記承認を伝送する前記ステップは、ハードウェアを再構成する前記ステップの前に発生し、安全な受信の前記承認を再伝送する前記ステップは、ハードウェアを再構成する前記ステップの後に発生する請求項３に記載の方法。
【請求項５】
安全な受信の前記承認を伝送する前記ステップは、ハードウェアを再構成する前記ステップの前に発生し、安全な受信の前記承認を再伝送する前記ステップは、ハードウェアを再構成する前記ステップの間に発生する請求項３に記載の方法。
【請求項６】
前記制御メッセージの安全な受信の承認を符号化する前記ステップは、前記承認の誤解釈を減らすように動作可能な追加の符号化を含む、安全な受信の承認を符号化するステップを含む請求項１乃至５のいずれか１項に記載の方法。
【請求項７】
前記追加の符号化は、追加の冗長性を含む請求項６に記載の方法。
【請求項８】
前記追加の符号化は、チェック・サムを含む請求項６または請求項７に記載の方法。
【請求項９】
安全な受信の前記承認は、事前に定めた長さのメッセージを含む請求項１乃至８のいずれか１項に記載の方法。
【請求項１０】
前記制御メッセージは、マルチキャリア・ワイヤレス電気通信ネットワークにおいて１つまたは複数のキャリアを有効化または無効化する指示を含む請求項１乃至９のいずれか１項に記載の方法。
【請求項１１】
前記制御メッセージは、マルチキャリア・ワイヤレス電気通信ネットワークにおいて、ダウンリンク・キャリアの受信を有効化または無効化する命令を含む請求項１０に記載の方法。
【請求項１２】
安全な受信の前記承認は、キャリアに関連する既存の制御チャネルで伝送される請求項１乃至１１のいずれか１項に記載の方法。
【請求項１３】
前記符号化ステップは、前記制御メッセージの受信に応じた既知のコードワードの選択を含む請求項１乃至１２のいずれか１項に記載の方法。
【請求項１４】
コンピュータで実行されたときに、請求項１乃至１３のいずれか１項に記載の方法を実行するように動作可能なコンピュータ・プログラム製品
【請求項１５】
マルチキャリア・ワイヤレス電気通信ネットワークにおいてキャリア構成の変更を指示する制御メッセージの受信を承認するように動作可能なネットワーク・ノードであって、前記マルチキャリア・ワイヤレス電気通信ネットワークは、前記電気通信ネットワークのセクター内において複数の無線周波数キャリアで信号を本質的に同時に伝送および受信するように動作可能な複数のネットワーク・ノードを含み、
前記ネットワーク・ノードは、
前記制御メッセージを受信するように動作可能な受信ロジックと、
前記制御メッセージの安全な受信の承認を符号化するように動作可能な符号化ロジックと、
安全な受信の前記承認を伝送し、安全な受信の前記承認の前記伝送の所定時間後に、安全な受信の前記承認を再伝送するように動作可能な伝送ロジックと
を含むネットワーク・ノード。
【発明の詳細な説明】
【技術分野】
【０００１】
本発明は、マルチキャリア・ワイヤレス電気通信ネットワークにおいてキャリア構成の変更を指示する制御メッセージの受信を承認する方法、その方法を実行するように動作可能なネットワーク・ノード、基地局、およびユーザ装置、ならびにコンピュータ・プログラム製品に関する。
【背景技術】
【０００２】
シングル・キャリア・ワイヤレス電気通信システムが知られている。それらのシステムでは、無線有効範囲は地理的領域によって、たとえば携帯電話などのユーザ装置に提供される。基地局は、必要な無線有効範囲を提供するために各地理的領域に配置される。基地局によってサービスを提供される領域にあるユーザ装置は、基地局から情報およびデータを受信し、基地局に情報およびデータを伝送する。
【０００３】
基地局によってユーザ装置に伝送される情報およびデータは、「ダウンリンク・キャリア」として知られている無線キャリアのチャネルに発生する。ユーザ装置によって基地局に伝送される情報およびデータは、「アップリンク・キャリア」として知られている無線キャリアのアップリンク・データ・チャネルに発生する。
【０００４】
基地局によってサービスを提供される領域は、一般的に、その基地局の通信可能領域をともに定義する複数のセクターを含む。一般的には、基地局は３つのセクターにサービスを提供する。それらのセクターは、一般的に、基地局で提供される個別のアンテナ・アレイによってサービスを提供される。
【０００５】
基地局およびユーザ装置に、それぞれ複数のキャリアで同時に伝送させることが可能である。さらに、ユーザ装置および基地局に、複数のキャリア周波数で同時に受信させることが可能である。
【０００６】
そのようなシナリオでは、各キャリア（アップリンクおよびダウンリンクの両方）は、個々に独立して出力が制御される。
【０００７】
デュアル・セル高速アップリンク・パケット・アクセス（ＤＣ−ＨＳＵＰＡ：Ｄｕａｌ  Ｃｅｌｌ  Ｈｉｇｈ  Ｓｐｅｅｄ  Ｕｐｌｉｎｋ  Ｐａｃｋｅｔ  Ａｃｃｅｓｓ）により、ユーザ装置は、２つの隣接する周波数キャリアでデータを伝送（アップリンク）することが可能になる。これによって、シングル・キャリアの仕組みと比べて、ユーザ装置からのデータ・スループットを高めることが可能になる。４キャリア高速ダウンリンク・パケット・アクセス（４Ｃ−ＨＳＤＰＡ：４  Ｃａｒｒｉｅｒ  Ｈｉｇｈ  Ｓｐｅｅｄ  Ｄｏｗｎｌｉｎｋ  Ｐａｃｋｅｔ  Ａｃｃｅｓｓ）では、ユーザ装置は、基地局から最大４つのダウンリンク・キャリアを同時に受信することができる（そして基地局は伝送することができる）。
【０００８】
４Ｃ−ＨＳＤＰＡでは、セクターは、基地局（ノードＢとも呼ぶ）の地理的な通信可能領域として定義されている。セクターは複数のセルから構成することができ、各セルは、セクターと同じ地理的な有効範囲を対象とすることを目的とし、個別の周波数キャリアを伝送に使用する。各キャリアは、同じ周波数帯、または無線周波スペクトルの範囲内にあってもよいし、または、無線周波スペクトルで提供される２つの周波数帯で分散されてもよい。
【０００９】
４Ｃ−ＨＳＤＰＡは、デュアル・セル高速ダウンリンク・パケット・アクセス（ＤＣ−ＨＳＤＰＡ）の拡張である。４Ｃ−ＨＳＤＰＡは、ＤＣ−ＨＳＤＰＡおよびシングル・セルＨＳＤＰＡのダウンリンク・スループットをそれぞれ潜在的に２倍および４倍にできることを理解されるであろう。また、基地局が４以上または３個のセルからそれぞれ同時に伝送する（または、ユーザ装置が受信する）場合、４Ｃ−ＨＳＤＰＡは、ＭＣ−ＨＳＤＰＡ（マルチキャリアＨＳＤＰＡ）または３Ｃ−ＨＳＤＰＡと呼ばれることがある。
【００１０】
マルチキャリア方式では、ユーザ装置からおよび基地局からのデータ・スループットを高めることができる。本明細書で使用する「マルチキャリア・ネットワーク」という用語は、ＤＣ−ＨＳＤＰＡ、３Ｃ−ＨＳＤＰＡ、４Ｃ−ＨＳＤＰＡ、およびＭＣ−ＨＳＤＰＡの両方のネットワークを対象にすることを意図している。
【００１１】
一般的なマルチキャリア・ワイヤレス電気通信ネットワークでは、提供されるダウンリンク・キャリアの１つは、一般的に、「アンカー」または「プライマリ」キャリアとして知られている。アンカー・キャリアは、特定の機能的な目的を持っており、ユーザ装置および基地局は、１つまたは複数のキャリアで同時に受信および伝送することができる一方、アンカーのアップリンクおよびダウンリンクのキャリアは、基地局が、たとえば、移動イベントなど、ユーザ装置と基地局との関係の様々な機能的な面を監視、制御、および指示するキャリアである。すなわち、アンカー・キャリアは、ダウンリンクおよびアップリンクの動作にとって不可欠な制御チャネルを提供し、移動イベントは、ユーザ装置によって行われ、アップリンクのメッセージによって報告される測定に基づいて管理される。
【００１２】
マルチキャリア方式では、一般的に、１つの「プライマリ」キャリアおよび１つまたは複数の「セカンダリ」キャリアが提供される。セカンダリ・キャリアは、セカンダリ・キャリア１、セカンダリ・キャリア２、セカンダリ・キャリア３のようにインデックス付けされる。プライマリ・キャリアは、不可欠な制御チャネルを含むため、ワイヤレス電気通信ネットワークの動作、特にユーザ装置の動作に影響を与えることなく無効化することはできない。したがって、プライマリ・キャリアは、一般的に無効化されない。
【００１３】
しかし、セカンダリ・キャリアの１つまたは複数は、機能を失うことなく無効化することができる。基地局は、無線条件が特に悪い場合は、キャリアを無効化することを選択することができる。ダウンリンク・キャリアは、高速共有制御チャネル（ＨＳ−ＳＣＣＨ）命令を使用して、基地局によって無効化または有効化することができる。ユーザ装置は、命令を受信したというフィードバックを返すように動作する。そのフィードバックは、高速専用物理制御チャネル（ＨＳ−ＤＰＣＣＨ）（プライマリ・アップリンク・キャリアで提供されるフィードバック・チャネル）を使用して、ユーザ装置によって送信される。
【００１４】
ＨＳ−ＤＰＣＣＨチャネルは、また、ユーザ装置が経験するダウンリンク・キャリアの無線状態に関する情報を送信するために使用される。その情報は、受信された場合、ＨＳ−ＳＣＣＨ命令に関連するフィードバックも含む単一のメッセージに含まれている。特に、そのチャネルでユーザ装置によって送信される、経験されている無線状態に関連するメッセージは、適切な場合は、チャネル品質インジケータ（ＣＱＩ）（１＝低、３０＝最高）およびプリコーディング制御指示（ＰＣＩ）としても知られているチャネル品質に関連する情報を含む。
【００１５】
基地局がフィードバックを受信するのに失敗したり、または命令がユーザ装置によって受信されていない場合に、１つまたは複数のセカンダリ・ダウンリンク・キャリアを無効化（または再有効化）するための命令をユーザ装置が受信したというフィードバックを間違って解釈したりした場合、ダウンリンク・キャリア伝送が再構成される。その結果、再構成の後にユーザ装置から基地局にＨＳ−ＤＰＣＣＨチャネルで送信されるダウンリンク・キャリア無線状態に関連する情報は、基地局によって誤解釈されることがあるため、ワイヤレス通信ネットワークが非効率になり機能低下につながる。
【発明の概要】
【発明が解決しようとする課題】
【００１６】
したがって、マルチキャリア・ワイヤレス電気通信ネットワークの再構成プロセスの復元力を改善することが望まれる。
【課題を解決するための手段】
【００１７】
したがって、第１の態様では、マルチキャリア・ワイヤレス電気通信ネットワークにおいてキャリア構成の変更を指示する制御メッセージの受信を承認する方法を提供し、マルチキャリア・ワイヤレス電気通信ネットワークは、電気通信ネットワークのセクター内において複数の無線周波数キャリアで信号を同時に伝送および受信するように動作可能な複数のネットワーク・ノードを含み、
この方法は、
制御メッセージを受信するステップと、
制御メッセージの安全な受信の承認を符号化するステップと、
安全な受信の承認を伝送し、安全な受信の承認の伝送の所定時間後に、安全な受信の承認を再伝送するステップと
を含む。
【００１８】
マルチキャリア高速ダウンリンク・パケット・アクセス・ネットワークは、一般的に、１つのプライマリ・キャリアおよび多数のセカンダリ・キャリアから構成される。セカンダリ・キャリアは、セカンダリ・キャリア１、セカンダリ・キャリア２のようにインデックス付けされる。プライマリ・ダウンリンク・キャリアは、不可欠な制御チャネルを含んでおり無効化することができない。セカンダリ・ダウンリンク・キャリアは、基地局によって無効化することができる。上記のように、１つまたは複数のセカンダリ・キャリアを無効化するために、基地局は、高速共有制御チャネル（ＨＳ−ＳＣＣＨ）命令を使用する。ユーザ装置は、高速専用物理制御チャネル（ＨＳ−ＤＰＣＣＨ）として知られているフィードバック・チャネルを使用して、そのような命令の受信を承認する。そのチャネルは、また、各キャリアでそのユーザ装置によって経験されるダウンリンク無線状態に関するフィードバック情報を送信するためにユーザ装置によって使用される。その情報は、チャネルごとにＣＱＩおよびＰＣＩを含む。
【００１９】
シングル・キャリア・システムでは、ＨＳ−ＤＰＣＣＨは、一般的に２５６の拡散率（ｓｐｒｅａｄｉｎｇ  ｆａｃｔｏｒ）を使用する。マルチキャリア・ネットワーク、たとえば４Ｃ−ＨＳＤＰＡでは、ＨＳ−ＤＰＣＣＨは、１２８という拡散率を使用することができる。そのような拡散率は、オリジナルの信号において符号またはビットの数を取り、１２８倍増加するように機能するため、信号の符号化利得が増加する。すなわち、信号は１２８倍強力であり、または、正しく受信するために１２８倍小さい信号対雑音比を必要とする。
【００２０】
再構成命令を受信したかどうか、およびキャリアが経験する無線状態に関するフィードバックを含むフィードバック・メッセージのサイズは、マルチキャリア・ワイヤレス電気通信ネットワークにおいて、どれだけのキャリアが有効化されるかに関係なく一定に維持される。言いかえると、１つのキャリアのみが有効化された場合、メッセージ全体を、そのシングル・キャリアに関する情報をフィードバックするためだけに使用することができる。フィードバック情報が２つのキャリアに必要な場合は、メッセージの半分を、それらのキャリアのそれぞれに関連する情報をフィードバックするために割り当てることができる。マルチキャリア方式でキャリアの数が増えると、各キャリアに割り当てられるメッセージの部分が制限されることを理解されるであろう。さらに、アクティブなキャリアの数が増えると、無線状態の様々な状態を示すメッセージとフィードバックとの違いが小さくなることを理解されるであろう。すなわち、異なる状態またはコードワードの間のハミング距離が減る。フィードバック情報に提供される保護がより少ない場合、そのメッセージが誤解釈される可能性は増加する。すなわち、フィードバック・メッセージは、承認（ＡＣＫ／ＮＡＣＫ／ＤＴＸ）およびＣＱＩ／ＰＣＩから構成される。１０ビットが承認に使用され、状態を表すために１ビット・パターン（コードワード）が使用される。起こりうる状態が多ければコードワードが多くなり、２つのコードワード間の違い（つまり、異なるビットの数）はより小さくなる。つまり、ハミング距離が減る。このために、誤差が生じやすくなる可能性がある。ＣＱＩおよびＰＣＩなど、フィードバック・メッセージの他の部分は、一般的に、符号化利得に追加のビットを使用する。ＣＱＩおよびＰＣＩの場合には、最終的な結果は一般的に２０ビットであるため、ＣＱＩが（余分なキャリアを符号化するために）より長い場合、より少ないパディングが使用される。たとえば、シングル・キャリアでは、ＣＱＩは、たとえば５ビットであり、１５ビットをパディングに使用することができる。２つのキャリアの場合は、ＣＱＩは１０ビットであり、１０ビットをパディングに使用することができる。
【００２１】
基地局がダウンリンク・キャリア構成を変更し、構成の変更を指示する場合、様々なキャリアの状態に関するフィードバック情報を符号化するユーザ装置によって伝送されるメッセージの形式に関する期待が変更されることを理解されたい。特に、２つのダウンリンク・キャリアを使用して基地局が動作しており、さらに２つのキャリアを有効化する場合、再構成後に期待されるメッセージは、２つではなく４つのキャリアに関連するはずである。したがって、ユーザ装置が再構成命令を受信しない場合、または再構成命令を受信するが、その命令の受信を基地局に対して正しく承認しない場合、または再構成命令がユーザ装置によって受信されなかったときに、メッセージが承認として解釈された場合、ユーザ装置によって送信されるフィードバック情報を基地局が誤解釈する可能性が高くなることを理解されるであろう。
【００２２】
第１の態様では、基地局に承認メッセージを送信し、次に自動的にその承認を再伝送する前に所定の時間だけ待機することによって、基地局によって承認メッセージが正常に受信され正しく解釈される可能性を高めることができると認識されている。
【００２３】
出力を高めるのではなくメッセージを繰り返すことによって、干渉の可能性が最小限になる。繰り返しによって、他の場合にはユーザ・データに使用できる時間が取られる可能性があるが、再構成命令の承認が正常に受信されると、その短時間の効率の悪さは、全体的なネットワーク・パフォーマンスの改善によって埋め合わせられる。基地局は、伝送の繰り返しを期待するように構成することができる。
【００２４】
一実施形態では、方法は、複数の再伝送のステップを含む。したがって、承認の伝送をさらに繰り返すことで、基地局によって正常に受信される可能性をさらに高めることができる。繰り返し数は、改善された全体的なネットワーク・パフォーマンスを用いて承認メッセージを再伝送することによって送信されるユーザ・データに対する潜在的な混乱の平衡を保つために、実地試験に応じてユーザ装置と基地局との間で構成および合意させることができる。
【００２５】
一実施形態では、方法は、キャリア構成において指示された変更に応じてハードウェアを再構成するステップをさらに含む。したがって、再構成は、再構成命令の受信に応じて直接実行することができる。しかし、承認の再伝送が発生する後まで、ハードウェアの再構成は遅れさせることができる。
【００２６】
一実施形態では、安全な受信の承認を伝送するステップは、ハードウェアを再構成するステップの前に発生し、安全な受信の承認を再伝送するステップは、ハードウェアを再構成するステップの後に発生する。
【００２７】
一実施形態では、安全な受信の承認を伝送するステップは、ハードウェアを再構成するステップの前に発生し、安全な受信の承認を再伝送するステップは、ハードウェアを再構成するステップの間に発生する。したがって、一般的に、ユーザ装置によって、たとえば１２タイム・スロットの受信再構成時間が許可されることを理解されるであろう。受信装置のこの再構成の間に、ユーザ装置は、まだ完全なアップリンク（伝送）機能を保持することができる。したがって、構成に基づいて、ユーザ装置は、ハードウェア再構成の間に、１回または複数回、安全な受信の承認の再伝送を送信できることを理解されるであろう。
【００２８】
一実施形態では、制御メッセージの安全な受信の承認を符号化するステップは、承認の誤解釈を減らすように動作可能な追加の符号化を含む、安全な受信の承認を符号化するステップを含む。したがって、無線キャリアの状態に関連する情報の大部分を含み、再構成命令の安全な受信を確認するフィードバックが非常に少ない可能性があるメッセージを送信するのではなく、メッセージのより大きな部分を再構成命令の安全な受信の承認に割り当てることができる。そのような仕組みでは、基地局は、通常、安全な受信の承認が一部を形成するフィードバック・メッセージで期待されることがある、すべてのキャリアに対する無線状態フィードバックを受信しないことがあることを理解されたい。しかし、ＣＱＩ情報は、ユーザ装置の再構成の後に無効化されたキャリアに必要ではない。基地局は、再構成命令が送信された後は、無効化されたキャリアでデータ・パケットを送信するのを停止できるため、それらのキャリアに関するＣＱＩ情報を必要としない。
【００２９】
一実施形態では、追加の符号化は、追加の冗長性を含む。したがって、安全な受信の承認メッセージに割り当てられるフィードバック・メッセージの割合を増やすことができる。より大きなメッセージは許容差を含むため、ある程度の破損または誤差がある場合でも、メッセージを正常に復号することができる。
【００３０】
一実施形態では、追加の符号化は、チェック・サム、または周期的冗長検査を含む。チェック・サムにより、安全な受信の承認メッセージにおける誤差を検出することが可能になる。したがって、誤差が検出されると、基地局は、その承認メッセージの繰り返しを待機することができる。
【００３１】
一実施形態では、安全な受信の承認は、事前に定めた長さのメッセージを含む。
【００３２】
メッセージは、再構成の受信のみを承認する特別な承認として機能する事前に定めた（一意の）コードワードを含むことができる。この点において、メッセージは、命令（１つの承認）のみを承認し、より高い符号化利得の機会が得られる。
【００３３】
一実施形態では、制御メッセージは、マルチキャリア・ワイヤレス電気通信ネットワークにおいて、１つまたは複数のキャリアを有効化または無効化する指示を含む。
【００３４】
一実施形態では、制御メッセージは、マルチキャリア・ワイヤレス電気通信ネットワークにおいて、ダウンリンク・キャリアの受信を有効化または無効化する命令を含む。一実施形態では、制御メッセージは、マルチキャリア・ワイヤレス電気通信ネットワークにおいて、アップリンク・キャリアの伝送を有効化または無効化する命令を含む。ダウンリンク・キャリアの有効化および無効化に関して主として記述してきたが、本明細書に開示する方法は、アップリンク・キャリアのシナリオでも同様に利用できることを理解されたい。
【００３５】
一実施形態では、安全な受信の承認は、キャリアに関連する既存の制御チャネルで伝送される。一実施形態では、符号化ステップは、制御メッセージの受信に応じた既知のコードワードの選択を含む。したがって、追加の符号化を含む承認は、たとえばＨＳ−ＤＰＣＣＨ、または新しい物理チャネルに新しく定義されたコードワード含むことができる。しかし、新しいコードワードまたは物理チャネルを再設計する必要性を回避するために、基地局で安全かつ正確な受信の可能性が高くなるように、変則的な状況においてＨＳ−ＤＰＣＣＨに既存のコードワードを再使用することが可能である。
【００３６】
第２の態様は、コンピュータで実行されたときに、第１の態様の方法を実行するように動作可能なコンピュータ・プログラム製品を提供する。
【００３７】
第３の態様は、マルチキャリア・ワイヤレス電気通信ネットワークにおいてキャリア構成の変更を指示する制御メッセージの受信を承認するように動作可能なネットワーク・ノードを提供し、マルチキャリア・ワイヤレス電気通信ネットワークは、電気通信ネットワークのセクター内において複数の無線周波数キャリアで信号を同時に伝送および受信するように動作可能な複数のネットワーク・ノードを含み、
ネットワーク・ノードは、
制御メッセージを受信するように動作可能な受信ロジックと、
制御メッセージの安全な受信の承認を符号化するように動作可能な符号化ロジックと、
安全な受信の承認を伝送し、安全な受信の承認の伝送の所定時間後に、安全な受信の承認を再伝送するように動作可能な伝送ロジックと
を含む。
【００３８】
一実施形態では、前述のネットワーク・ノードはユーザ装置を含む。一実施形態では、前述のネットワーク・ノードは基地局を含む。
【００３９】
一実施形態では、前述の伝送ロジックは、複数の繰り返しを実行するようにさらに動作可能である。
【００４０】
一実施形態では、ネットワーク・ノードは、キャリア構成において指示された変更に応じてハードウェアを再構成するように動作可能な再構成ロジックをさらに含む。
【００４１】
一実施形態では、伝送ロジックは、ハードウェアを再構成する前述のステップの前に安全な受信の承認を伝送するステップを実行し、ハードウェアを再構成するステップの後に安全な受信の前述の承認を再伝送するステップを実行するように動作可能である。
【００４２】
一実施形態では、伝送ロジックは、ハードウェアを再構成するステップの前に安全な受信の前述の承認を伝送するステップを実行し、ハードウェアを再構成するステップの間に安全な受信の承認を再伝送するステップを実行するように動作可能である。
【００４３】
一実施形態では、符号化ロジックは、承認の誤解釈を減らすように動作可能な追加の符号化を含む安全な受信の承認を符号化するように動作可能である。
【００４４】
一実施形態では、追加の符号化は追加の冗長性を含む。
【００４５】
一実施形態では、追加の符号化はチェック・サムを含む。
【００４６】
一実施形態では、安全な受信の承認は、事前に定めた長さのメッセージを含む。
【００４７】
一実施形態では、制御メッセージは、マルチキャリア・ワイヤレス電気通信ネットワークにおいて、１つまたは複数のキャリアを有効化または無効化する指示を含む。
【００４８】
一実施形態では、制御メッセージは、マルチキャリア・ワイヤレス電気通信ネットワークにおいて、ダウンリンク・キャリアの受信を有効化または無効化する命令を含む。
【００４９】
一実施形態では、伝送ロジックは、キャリアに関連する既存の制御チャネルで安全な受信の承認を伝送するように動作可能である。
【００５０】
一実施形態では、符号化ロジックは、制御メッセージの受信に応じて既知のコードワードを選択するように動作可能である。
【００５１】
第４の態様では、マルチキャリア・ワイヤレス電気通信ネットワークにおいてキャリア構成の変更を指示する制御メッセージの受信を承認する方法を提供し、マルチキャリア・ワイヤレス電気通信ネットワークは、電気通信ネットワークのセクター内において複数の無線周波数キャリアで信号を同時に伝送および受信するように動作可能な複数のネットワーク・ノードを含み、方法は、
制御メッセージを受信するステップと、
承認の誤解釈を減らすように動作可能な追加の符号化を含む制御メッセージの安全な受信の承認を符号化するステップと、
安全な受信の符号化された承認を伝送するステップと
を含む。
【００５２】
したがって、無線キャリアの状態に関連する情報の大部分を含み、再構成命令の安全な受信を確認するフィードバックが非常に少ない可能性があるメッセージを送信するのではなく、メッセージのより大きな部分を再構成命令の安全な受信の承認に割り当てることができる。そのような仕組みでは、基地局は、通常、安全な受信の承認が一部を形成するフィードバック・メッセージで期待されることがある、すべてのキャリアに対する無線状態フィードバックを受信しないことがあることを理解されたい。しかし、ＣＱＩ情報は、ユーザ装置の再構成の後に無効化されたキャリアに必要ではない。基地局は、再構成命令が送信された後は、無効化されたキャリアでデータ・パケットを送信するのを停止できるため、それらのキャリアに関するＣＱＩ情報を必要としない。追加の符号化によって提供される長所によって、安全な受信の承認の伝送を繰り返すための要件を下げることができることを理解されたい。
【００５３】
一実施形態では、追加の符号化は追加の冗長性を含む。したがって、安全な受信の承認メッセージに割り当てられるフィードバック・メッセージの割合を増やすことができる。ある程度の破損または誤差がある場合でも、メッセージを正常に復号できるように、より大きなメッセージは許容差を含む。
【００５４】
一実施形態では、追加の符号化は、チェック・サム、または周期的冗長検査を含む。チェック・サムにより、安全な受信の承認メッセージにおける誤差を検出することが可能になる。したがって、誤差が検出されると、基地局は、その承認メッセージの繰り返しを待機することができる。
【００５５】
一実施形態では、安全な受信の承認は、事前に定めた長さのメッセージを含む。
【００５６】
一実施形態では、方法は、安全な受信の承認を伝送し、安全な受信の承認の伝送の所定時間後に、安全な受信の承認を再伝送するステップをさらに含む。
【００５７】
一実施形態では、方法は、複数回の繰り返しのステップを含む。したがって、承認の伝送をさらに繰り返すことで、基地局によって正常に受信される可能性をさらに高めることができる。繰り返し数は、改善された全体的なネットワーク・パフォーマンスを用いて承認メッセージを再伝送することによって送信されるユーザ・データに対する潜在的な混乱の平衡を保つために、実地試験に応じてユーザ装置と基地局との間で構成および合意させることができる。
【００５８】
一実施形態では、方法は、キャリア構成において指示された変更に応じてハードウェアを再構成するステップをさらに含む。したがって、再構成は、再構成命令の受信に応じて直接実行することができる。しかし、承認の再伝送が発生する後まで、ハードウェアの再構成は遅れさせることができる。
【００５９】
一実施形態では、安全な受信の承認を伝送するステップは、ハードウェアを再構成するステップの前に発生し、安全な受信の前述の承認を再伝送するステップは、ハードウェアを再構成するステップの後に発生する。
【００６０】
一実施形態では、安全な受信の承認を伝送するステップは、ハードウェアを再構成するステップの前に発生し、安全な受信の承認を再伝送するステップは、ハードウェアを再構成するステップの間に発生する。したがって、一般的に、ユーザ装置によって、たとえば１２タイム・スロットの受信再構成時間が許可されることを理解されるであろう。受信装置のこの再構成の間に、ユーザ装置は、まだ完全なアップリンク（伝送）機能を保持することができる。したがって、構成に基づいて、ユーザ装置は、ハードウェア再構成の間に、１回または複数回、安全な受信の承認の再伝送を送信できることを理解されるであろう。
【００６１】
一実施形態では、制御メッセージは、マルチキャリア・ワイヤレス電気通信ネットワークにおいて、ダウンリンク・キャリアの受信を有効化または無効化する命令を含む。一実施形態では、制御メッセージは、マルチキャリア・ワイヤレス電気通信ネットワークにおいて、アップリンク・キャリアの伝送を有効化または無効化する命令を含む。ダウンリンク・キャリアの有効化および無効化に関して主として記述してきたが、本明細書に開示する方法は、アップリンク・キャリアのシナリオでも同様に利用できることを理解されたい。
【００６２】
一実施形態では、安全な受信の承認は、キャリアに関連する既存の制御チャネルで伝送される。一実施形態では、符号化ステップは、制御メッセージの受信に応じた既知のコードワードの選択を含む。したがって、追加の符号化を含む承認は、たとえばＨＳ−ＤＰＣＣＨ、または新しい物理チャネルに新しく定義されたコードワード含むことができる。しかし、新しいコードワードまたは物理チャネルを再設計する必要性を回避するために、基地局で安全かつ正確に受信する可能性が高くなるように、変則的な状況においてＨＳ−ＤＰＣＣＨに既存のコードワードを再使用することが可能である。
【００６３】
第５の態様は、コンピュータで実行されたときに、第４の態様の方法を実行するように動作可能なコンピュータ・プログラム製品を提供する。
【００６４】
第６の態様は、マルチキャリア・ワイヤレス電気通信ネットワークにおいてキャリア構成の変更を指示する制御メッセージの受信を承認するように動作可能なネットワーク・ノードを提供し、マルチキャリア・ワイヤレス電気通信ネットワークは、電気通信ネットワークのセクター内において複数の無線周波数キャリアで信号を同時に伝送および受信するように動作可能な複数のネットワーク・ノードを含み、
ネットワーク・ノードは、
制御メッセージを受信するように動作可能な受信ロジックと、
承認の誤解釈を減らすように動作可能な追加の符号化を含む制御メッセージの安全な受信の承認を符号化するように動作可能な符号化ロジックと、
安全な受信の承認を伝送するように動作可能な伝送ロジックと
を含む。
【００６５】
一実施形態では、ネットワーク・ノードは基地局を含む。一実施形態では、ネットワーク・ノードはユーザ装置を含む。
【００６６】
一実施形態では、追加の符号化は追加の冗長性を含む。
【００６７】
一実施形態では、追加の符号化はチェック・サムを含む。
【００６８】
一実施形態では、安全な受信の承認は、事前に定めた長さのメッセージを含む。
【００６９】
一実施形態では、伝送ロジックは、安全な受信の承認を伝送し、安全な受信の承認の伝送の所定時間後に、安全な受信の承認を再伝送するようにさらに動作可能である。
【００７０】
一実施形態では、伝送ロジックは、複数の繰り返しのステップを実行するように動作可能である。
【００７１】
一実施形態では、ネットワーク・ノードは、キャリア構成において指示された変更に応じてハードウェアを再構成するように動作可能な再構成ロジックをさらに含む。
【００７２】
一実施形態では、伝送ロジックは、ハードウェアを再構成する前述のステップの前に安全な受信の承認を伝送するステップを実行し、ハードウェアを再構成するステップの後に安全な受信の前述の承認を再伝送するステップを実行するように動作可能である。
【００７３】
一実施形態では、伝送ロジックは、ハードウェアを再構成するステップの前に安全な受信の前述の承認を伝送するステップを実行し、ハードウェアを再構成するステップの間に安全な受信の承認を再伝送するステップを実行するように動作可能である。
【００７４】
一実施形態では、制御メッセージは、マルチキャリア・ワイヤレス電気通信ネットワークにおいて、１つまたは複数のキャリアを有効化または無効化する指示を含む。
【００７５】
一実施形態では、制御メッセージは、マルチキャリア・ワイヤレス電気通信ネットワークにおいて、ダウンリンク・キャリアの受信を有効化または無効化する命令を含む。
【００７６】
一実施形態では、伝送ロジックは、キャリアに関連する既存の制御チャネルで安全な受信の承認を伝送するように動作可能である。
【００７７】
一実施形態では、符号化ロジックは、制御メッセージの受信に応じて既知のコードワードを選択するように動作可能である。
【００７８】
添付の独立および従属請求項では、本発明のさらに特定および好ましい態様について記述する。従属請求項の機能は、独立請求項の機能と適切に組み合わせたり、特許請求の範囲に明示的に記述した以外に組み合わせたりすることができる。
【００７９】
次に、本発明の実施形態について、添付図面に関してさらに記述する。
【図面の簡単な説明】
【００８０】
【図１】一実施形態による電気通信ネットワークの主な構成要素を示す図である。
【図２ａ】マルチキャリア・ネットワークのキャリア再構成の方法の概要を示す図である。
【図２ｂ】マルチキャリア・ネットワークを再構成する間に起こりうる課題の概要を示す図である。
【図２ｃ】マルチキャリア・ネットワークを再構成するときに起こりうる他の課題の概要を示す図である。
【図３】一実施形態によるチャネル再構成の一実施形態を概略的に示す図である。
【図４】一実施形態で使用される起こりうる特別な承認形式を概略的に示す図である。
【図５】一実施形態で使用される起こりうる代替の特別な承認を概略的に示す図である。
【図６】特別な承認を利用する一実施形態による再構成方法を概略的に示す図である。
【図７】特別な承認を利用する他の実施形態による再構成方法を概略的に示す図である。
【発明を実施するための形態】
【００８１】
図１は、一実施形態によるワイヤレス電気通信システム１０を示す図である。ユーザ装置５０はワイヤレス電気通信システム内を歩き回る。無線有効範囲３０の領域をサポートする基地局２０が提供される。ユーザ装置５０に幅広い有効範囲を提供するために、多数のそのような基地局２０が提供され、地理的に分散される。ユーザ装置が基地局３０によってサービスを提供されるエリア内にある場合、関連する無線リンクを通じて、ユーザ装置と基地局との間で通信を確立することができる。各基地局は、一般的には、サービス３０の地理的領域内の多数のセクターをサポートする。
【００８２】
一般的に、基地局内の異なるアンテナは、各関連するセクターをサポートする。したがって、各基地局２０は複数のアンテナを持ち、異なるアンテナを通じて送信される信号は、セクター化された方法を提供するために電子的に重み付けされる。もちろん、図１は、一般的な通信システムに存在することができるユーザ装置および基地局の総数のごく一部を示していることを理解されたい。
【００８３】
ワイヤレス通信システムは、無線ネットワーク制御装置（ＲＮＣ）４０によって管理される。ＲＮＣ４０は、バックホール通信リンク６０を通じて、複数の基地局と通信することによって、ワイヤレス通信システムの動作を制御する。ネットワーク制御装置は、また、各基地局を介してユーザ装置５０と通信し、こうしてワイヤレス通信システム全体を効果的に管理する。
【００８４】
マルチキャリア方式では、基地局によってサービスを提供される各セクターは、それらに関連する複数のキャリア周波数または「キャリア」を持つことができる。キャリア、またはキャリアにサポートされたセルは、セクターと同じ地理的領域を対象にする。各セルは、異なるキャリア周波数によってサービスを提供される。したがって、シングル・キャリア・システムでは、セクターは、たった１つのセルまたはキャリア周波数しか持っていないので、セルはセクターに等しいことを理解されるであろう。それにもかかわらず、マルチキャリア・ネットワークでは、各セクターは複数のセルを含むことができ、各セルは、異なるキャリア周波数によって同時にサービスを提供される。
【００８５】
ユーザ装置５０は、一般的には、基地局２０に情報およびデータを伝送するため、ワイヤレス通信ネットワーク内で再ルーティングすることができる。ユーザ装置は、たとえば、テキスト・メッセージ、ユーザが電話をかけるための装置を使用しているときには音声情報、または他のデータを中継するために、基地局にデータを伝送する必要がある場合がある。基地局２０は、ＲＮＣ４０によって設定されたパラメータと組み合わせて、ワイヤレス電気通信ネットワーク１０の動作を最適化することを目的とする方法で、ユーザ装置にリソースを割り当てる。ユーザ装置５０は、「アップリンク・キャリア」として知られている１つまたは複数のキャリアで基地局にデータを送信することができる。
【００８６】
マルチキャリア方式の基地局は、１組のダウンリンク・キャリアでユーザ装置との間でデータおよび情報を通信および送信するように動作可能である。マルチキャリア・アップリンクまたはマルチキャリア・ダウンリンクのいずれかを用いるマルチキャリア方式では、各キャリアは、基地局からユーザ装置、およびその逆方向に、本質的に独立したダウンリンク無線リンクを持つ。各キャリアは、ユーザ装置に対して異なる無線公開パスを持っている可能性があるため、ダウンリンク無線リンクは独立して管理される。
【００８７】
マルチキャリア方式では、キャリアの１つは、いわゆるアンカー・キャリアまたはプライマリ・キャリアとして機能することが合意されている。アンカー・キャリアは、移動イベント、ハンドオーバ、およびその他が制御する基礎として使用されるように機能的に機能する。
【００８８】
４キャリア高速ダウンリンク・パケット・アクセス・ネットワーク（４Ｃ−ＨＳＤＰＡ）として知られているマルチキャリア方式の一実施形態では、セクターは、基地局の地理的な通信可能領域として定義されている。セクターは、複数のセルから構成され、各セルは、セクターと同じ地理的領域を対象にすることを目的としている。各セルは、個別の周波数キャリアを伝送に使用する。各周波数キャリアは、同じ周波数帯内で提供することも、または２つの周波数帯を通じて分散することもできる。４Ｃ−ＨＳＤＰＡは、ユーザ装置が、１つの基地局から、４つの異なるセルから最大４つの同時ダウンリンク伝送を受信できる可能性を提供する。したがって、４Ｃ−ＨＳＤＰＡは、シングル・キャリア・ネットワークのダウンリンク・スループットを潜在的に４倍にすることができることを理解できるであろう。
【００８９】
４Ｃ−ＨＳＤＰＡは、１つのプライマリ（またはアンカー）キャリアおよび最大３つのセカンダリ・キャリアから構成される。セカンダリ・キャリアは、セカンダリ・キャリア１、セカンダリ・キャリア２、およびセカンダリ・キャリア３としてインデックス付けされる。プライマリ・キャリアは、不可欠な制御チャネルを含み、ユーザ装置と基地局との間の通信に混乱を引き起こすことなく無効化することはできない。セカンダリ・ダウンリンク・キャリアの１つまたは複数は、ユーザ装置と基地局との間の通信および制御を本質的に妨害せずに、基地局によって無効化でき、プライマリ・アップリンク・キャリアが動作している限り、１つまたは複数のセカンダリ・アップリンク・キャリアは、提供された場合、ユーザ装置と基地局との間の通信を妨害せずに無効化できることを理解されるであろう。
【００９０】
基地局は、高速共有制御チャネル（ＨＳ−ＳＣＣＨ）命令を使用して、セカンダリ・ダウンリンク・キャリアの１つまたは複数を無効化または再有効化するように動作可能である。送信され、正常に受信されたら、ユーザ装置は、アップリンク・キャリアで提供される高速専用物理制御チャネル（ＨＳ−ＤＰＣＣＨ）で基地局に送信されるフィードバック・メッセージを使用することによって、ＨＳ−ＳＣＣＨ命令の受信を承認する。そのチャネルは、そのような状況では、フィードバック・チャネルとして機能する。
【００９１】
承認は、現在有効化されている各キャリアのそのユーザ装置が経験するダウンリンク無線状態に関する情報も含むメッセージの一部として送信される。メッセージは、チャネル品質インジケータ（ＣＱＩ）およびプリコーディング制御指示（ＰＣＩ）に関する情報を含み、機能しているダウンリンク・チャネルの数に関係なく、一般的に固定サイズである。
【００９２】
メッセージは、１２８という拡散率を使用して、ユーザ装置から基地局に送信される。信号の各符号には、長さ１２８符号のコードがかけられる。したがって、オリジナルの信号の符号の総数は１２８だけ増加する。そのような符号化処理によって、信号の利得が１２８倍増加する。すなわち、信号は１２８倍「強力」であり、または、安全に受信するために１２８倍小さい信号対雑音比を必要とする。
【００９３】
図２ａは、マルチキャリア・ネットワークにおいてダウンリンク・キャリアを再構成する方法の概要を示す図である。特に、基地局２０は、ユーザ装置５０と通信するために動作している。この特定の実施形態では、４Ｃ−ＨＳＤＰＡネットワークは概略的に示されている。すなわち、基地局２０は、ユーザ装置５０と通信するダウンリンク・キャリアＣ１、Ｃ２、Ｃ３、Ｃ４を提供する。図２ａの時刻軸は、ページを垂直下向きに走っている。
【００９４】
図２ａでは、基地局およびユーザ装置は、最初は４つのダウンリンク・キャリアをすべて使用して動作している。普通に動作している間は、ユーザ装置は、１２８という拡散率を使用して、ＨＳ−ＤＰＣＣＨ物理チャネルを使用して、各キャリア１００Ａ、１００Ｂ、１００Ｃ、１００Ｄに対するフィードバック情報１００を送信する。そのフィードバック情報１００は、（矢印１０１によって示すように）基地局２０に送信される。
【００９５】
ユーザ装置５０に対するダウンリンク・キャリア構成を再構成するために、基地局２０は、（矢印１２１によって示すように）ＳＣ−ＳＣＣＨ命令１２０をユーザ装置５０に送信し、ダウンリンク・キャリアの再構成を指示する。図２ａに示す例では、基地局２０は、キャリアＣ２およびＣ３を無効化することを決定し、その趣旨でＨＳ−ＳＣＣＨ命令を送信する。
【００９６】
図２ａに示すシナリオでは、ユーザ装置５０は、キャリア１（Ｃ１）に関連する情報の一部として送信される承認を使ってＨＳ−ＳＣＣＨ命令の安全な受信を承認する。つまり、再構成命令の受信の承認は、情報１００ａ内において基地局２０に送信される。
【００９７】
ユーザ装置５０は、再構成するための指示を正常に受信すると、基地局２０によって要求された２つのキャリア（すなわちＣ１およびＣ４）の１つを操作するように自身を再構成し始める（矢印１３１によって示す）。
【００９８】
この特定の例では、２つのキャリアだけがアクティブなまま維持されるため、それらのキャリアに関する将来的なフィードバック情報（つまり、ＣＱＩおよびＰＣＩを含む、キャリア１および４に関するダウンリンク無線状態に関する情報）を報告する際に、ユーザ装置は、フィードバック情報メッセージ１００内のＣ１およびＣ４に関連するそのフィードバック情報１００ａ、１００ｃを繰り返すことができる。
【００９９】
基地局は、ユーザ装置から承認を受信し、ユーザ装置を正常に再構成できたことを認識しているため、ユーザ装置によって伝送された新しいフィードバック情報は繰り返しを含み、処理利得を得るためにメッセージ１００の繰り返しからフィードバック情報１００ａ、１００ｃを組み合わせるように操作できることも認識する。
【０１００】
図２ｂは、マルチキャリア・ネットワークを再構成するときに起こりうる課題の概要を示す図である。示したシナリオは、基地局が最初は４つのキャリアをすべて使用しており、次にキャリア２およびキャリア３を無効化することを決定する、４Ｃ−ＨＳＤＰＡネットワークをネットワークが含むという点で、図２ａに示したシナリオに直接的に類似している。適切な場合は、対応する参照番号を再び使用した。
【０１０１】
この場合、ユーザ装置は、再構成するための命令を正常に受信するし、Ｃ１およびＣ４のみを用いて動作するように再構成するが、ユーザ装置５０によって基地局２０に送信された承認は、基地局によって正常に受信されない。
【０１０２】
ユーザ装置５０は、２つのキャリアを操作するために１３１を再構成し始め、再構成の後にフィードバック情報を送信するときに、２つのアクティブなキャリアに対する情報１００ａ、１００ｃを繰り返すように機能する。この状況（情報はフィードバック・メッセージ１００内で繰り返される）では、ＨＳ−ＤＰＣＣＨ伝送の伝送出力は、一般的に２だけ減る。つまり、３デシベルだけ減る。その理由は、基地局２０は、メッセージの新しい形式を認識している場合、繰り返しからメッセージを正しく解釈するために符号化利得を利用できるためである。
【０１０３】
図２ｂに示すシナリオでは、ユーザ装置は、残りの２つのアクティブなキャリアに対するフィードバック情報を繰り返し、３デシベル小さい出力で基地局に送信する。承認は基地局によって受信されないため、ユーザ装置は命令を受信しなかったこと、およびユーザ装置によって送信される情報は、４つのキャリアに関連することを基地局は想定する。基地局は、この場合、ユーザ装置によって無効化されたキャリア（すなわちキャリア２およびキャリア３）が、ユーザ装置によって使用されていないことを復号するのに失敗する。キャリア１およびキャリア４に対するフィードバック情報１００ａ、１００ｃの一部は、キャリアの無効化の前のようにフィードバック・メッセージ１００内の同じ位置に到着するが、基地局は、また、それらのフィードバック情報メッセージを復号することに失敗する可能性がある。その理由は、今では３デシベル小さい出力で送信されており、基地局は、繰り返しによって提供される処理利得を利用できないためである。
【０１０４】
図２ｃは、マルチキャリア・ネットワークを再構成するときに、起こりうる他の課題の概要を示す図である。示したシナリオは、基地局が最初は４つのキャリアをすべて使用しており、次に、キャリア２およびキャリア３を無効化することを決定する４Ｃ−ＨＳＤＰＡネットワークをネットワークが含むという点で、図２ａおよび図２ｂに示したシナリオに直接的に類似している。適切な場合は、対応する参照番号を再び使用している。
【０１０５】
図２ｃに示すシナリオでは、ユーザ装置は、キャリア２およびキャリア３を無効化するＨＳ−ＳＣＣＨ命令を受信することに失敗する。基地局は、示されたシナリオでは、キャリア構成を再構成するための以前の命令の承認として、ユーザ装置からの通常のフィードバック情報のみを含むＨＳ−ＤＰＣＣＨメッセージを間違って誤解釈する。
【０１０６】
ユーザ装置は、伝送出力を減らすことなく４つのキャリアに関連するフィードバック情報を送信し続ける。図２ｃに概略的に示すように、このシナリオにおいて基地局２０は、フィードバックが、有効化されていると考える２つのキャリアの繰り返しであることを期待している。したがって、基地局は、フィードバック情報１００ｂが実際に１００ｃであり、フィードバック情報１００ｃが１００ａの繰り返しであると間違って想定する。フィードバック情報は出力を下げずに送信されるが、基地局は、フィードバック・メッセージ形式の繰り返しが利用されていると想定して、そのフィードバック情報を組み合わせようとするため、フィードバック情報を正常に復号することに失敗する可能性がある。
【０１０７】
ＨＳ−ＳＣＣＨ再構成命令に応じてフィードバック情報（ＨＳ−ＤＰＣＣＨ）を送信するプロセスは、図２ｂおよび図２ｃに概略的に示したように誤差を最小限にするのに十分に堅牢であることを確実にすることが望まれる。
【０１０８】
ＨＳ−ＤＰＣＣＨで送信されるフィードバック情報メッセージ１００には誤り確認がないため、基地局２０で受信されるＨＳ−ＤＰＣＣＨで送信されるフィードバック・メッセージの信頼性を高めることによって、誤差１および誤差２の機会を緩和することができる。
【０１０９】
信頼性を高める方法の１つとして、再構成命令を受信する場合、ＨＳ−ＤＰＣＣＨの伝送出力を自動的に高める再構成命令を受信するように、ユーザ装置５０をプログラムすることがある。伝送出力の増加は、複数回の伝送の間、または所定の時間、ＨＳ−ＳＣＣＨ命令を受信した後に継続することができる。出力のそのような増加によって、ＨＳ−ＤＰＣＣＨフィードバック・メッセージ１００で送信された承認を基地局が受信する可能性が改善されるため、図２ｂに示すタイプの誤差の可能性が下がる。しかし、ＨＳ−ＤＰＣＣＨの伝送出力（または任意の伝送出力）のそのような増加により、アップリンク・スループットを下げるアップリンク干渉が増加する。基地局が複数のユーザ装置に対してセカンダリ・キャリアを有効化または無効化することを決定した場合、そのような干渉は特に深刻になる。たとえば、基地局が送信機の１つオフにすることを希望する場合、現在、その基地局に接続されているすべてのユーザ装置に対するセカンダリ・キャリアを無効化するために、そのような再構成命令を送信することができる。さらに、たとえばセル・エッジで、最大伝送出力で動作しているユーザ装置については、追加の出力がＨＳ−ＤＰＣＣＨに提供された場合、プライマリ・データ・チャネル、すなわち、ユーザ・データのアップリンクを担当するチャネルに対する出力割り当てを増加または減少する必要がある。
アップリンク・データ・チャネルに対する出力を減らすと、そのアップリンク・スループットが下がる。
【０１１０】
フィードバック・メッセージ１００の伝送出力を高めても、ユーザ装置が、まず第１に構成変更命令を受信することに失敗するという、図２ｃに示したシナリオの可能性は下がらない。
【０１１１】
時間で間隔を置いた繰り返しステップを利用することによって、および／または特別な承認メッセージを使用することによって、図２ｂおよび図２ｃに示す誤差の一部を緩和できる可能性があることが認識されている。
【０１１２】
図３は、一実施形態によるチャネル再構成の一実施形態を概略的に示す図である。図３に示す実施形態では、繰り返しおよび特別な形式の承認メッセージの両方を利用するが、他方を使用することなく、図２ｂおよび図２ｃに示す誤差を改善および緩和するために、繰り返しまたは特別な形式の承認メッセージのいずれかを等しく利用できることを理解されたい。
【０１１３】
図３に示すシナリオは、基地局が最初は４つのキャリアをすべて使用しており、次にキャリア２およびキャリア３を無効化することを決定する４Ｃ−ＨＳＤＰＡネットワークをネットワークが含むという点で、図２ａ、図２ｂ、および図２ｃに示すシナリオに直接的に類似している。適切な場合は、対応する参照番号を再び使用した。
【０１１４】
図３に示す実施形態によると、セカンダリ・キャリアの一部を無効化または有効化するためにキャリア再構成命令１２０（ＨＳ−ＳＣＣＨ命令）をユーザ装置５０が受信すると、図２ａ〜図２ｃに示すシナリオのように、最初はフィードバック・チャネル（ＨＳ−ＤＰＣＣＨ）の一部を形成する標準的な承認で応答する。再構成命令を安全に受信したと想定して、次に、ユーザ装置５０は、再構成１３１を実行するために１２スロットを取る。
【０１１５】
これらの１２スロットの間に、一般的に、基地局からユーザ装置に送信されるＨＳ−ＤＰＡパケットはない。図３に示す特定の実施形態では、ユーザ装置５０は、ＨＳ−ＳＣＣＨ命令（１２０）を受信すると、特別な承認メッセージ２００を使用することによって、再構成命令の承認の繰り返しを送信するように動作する。特別な承認メッセージは、通常のフィードバック・チャネル（ＨＳ−ＤＰＣＣＨ）で通常のフィードバック情報の後に送信することができる。一部の実施形態では、通常のフィードバック情報の代わりにそれを送信できることを理解されたい。
【０１１６】
特別な承認２００は、一般的に選択され、また高い符号化利得を伴って、またはチェック・サムを組み込むように、より良好に選択することができ、それによって、承認が送信されたことを基地局２０が正常に認識する可能性が高くなる。さらに、特別な承認は、ユーザ装置の再構成の後に再び送信できるため、再構成要求の承認の信頼性をさらに高めることができる。このような特別な承認メッセージの伝送の繰り返しは、図３のメッセージ２０１として示している。
【０１１７】
通常のフィードバック情報の後に特別な承認が送信されると、図３に示すように、基地局は、１つは通常のフィードバック情報から、もう１つは特別な承認から、２つの確認を得る。再構成プロセスを始められる前に、２つのメッセージがユーザ装置５０から送信されるため、そのような仕組みにより、ユーザ装置の再構成が遅れることがある。しかし、その遅延は、一般的に約１サブフレーム（３タイム・スロット）であるため、深刻ではない場合がある。
【０１１８】
通常のフィードバック情報の代わりに特別な承認が送信されると、基地局は、再構成命令を送信するために使用されない他の（セカンダリ）キャリアで送信されるデータ・パケットに対する承認を得ない（つまり、フィードバック情報１００ａ、１００ｂ、１００ｃ、および１００ｄを受信しない）。基地局は、また、キャリアＣ１からＣ４のそれぞれに対するＣＱＩおよびＰＣＩ情報を受け取らないが、無効化されているキャリアに対するユーザ装置の再構成の後は、そのデータは必要ないため、これはあまり関係しない。その点において、基地局は、再構成命令１２０を送信するときに、セカンダリ・キャリアでデータ・パケットを送信することを停止できるため、それらの無効化されたセカンダリ・キャリアに関しては、承認ならびにＣＱＩおよびＰＣＩ情報を必要としない。
【０１１９】
ユーザ装置の実装に基づいて、特別な承認は、通常は再構成に許可される１２スロット時間内で送信できる（１３１）ことが可能であることを理解されたい。これが可能なのは、キャリア再構成の間に、ユーザ装置は、一般的に、そのダウンリンク受信構成のみを再構成する必要があるからである（アップリンク伝送構成は、まだ完全にアクティブな場合がある）。そのような仕組みでは、特別な承認２００、または通常のフィードバック情報１００は、承認が基地局に到着する可能性を高めるために数回送信することができる。そのようなシナリオでは、基地局は、再構成期間の間にユーザ装置から、特別な承認、または通常のフィードバック情報の繰り返しを期待するようにプログラムすることができる。
【０１２０】
特別な承認２００は、ＨＳ−ＤＰＣＣＨに対する新しく定義されたコードワードを含むことができる。または、新しい物理チャネルを含むことができる。新しいコードワードまたは物理チャネルを再設計する必要をなくすために、ＨＳ−ＤＰＣＣＨに対する既存のコードワードが使用できることを理解されたい。たとえば、特別な承認は、基地局からのキャリア再構成命令の安全な受信を承認するタスクのみを実行しているため、シングル・キャリア・シナリオまたはネットワークで一般的に使用される既存のコードワードを再使用することができる。
【０１２１】
そのようなシナリオでは、コードワードは、シングル・キャリアに対するＣＱＩおよびＰＣＩ情報を含むように構成されるが、再構成命令の安全な受信を承認するタスクを実行するのは特別な承認であるため、実際の情報は重要ではないことを理解されたい。その結果、０というＣＱＩを持つようにコードワードを選択することができる。そのようなシナリオでは、マルチキャリアの仕組みでは、１２８という拡散率が一般的に使用されるため、２５６という拡散率を使用するシングル・キャリア・システムで使用されるメッセージの通常の長さに一致させるために、シングル・キャリア・コードワードは２度繰り返すことができる。
【０１２２】
起こりうる１つの特別な承認の形式を図４に概略的に示している。本発明の実施形態が実装された場合、基地局は、再構成命令に応じてそのような形式のメッセージを期待することを理解されたい。さらに、基地局は、他の形式の承認を期待せず、そのような特別な承認がなければ、ユーザ装置がキャリア再構成命令を受信するのに失敗したことを示している。
【０１２３】
ユーザ装置に１つだけアクティブなダウンリンク・キャリアがある場合、図４に概略的に示したコードワードは、有効なフィードバック・メッセージ１００の形式を表している。すなわち、マルチ入力マルチ出力モードで動作しておらず、プライマリ・ダウンリンク・キャリアのみを利用しているときである。そのようなコードワードは、すべての状況で使用できるが、図４に示すコードワードがマルチ入力マルチ出力のない１つのアクティブなキャリアに対する有効なコードワードに矛盾しないように、２つを超えるストリームに対して設計されたコードワードを使用することができる。そのようなシナリオでは、基地局は、１つのアクティブなキャリアを用いるユーザ装置が、２つ以上のアクティブなキャリアに対してフィードバックを送信することを期待せず、コードワードの変更によってコードワードを明瞭にする。そのようなシナリオでは、複数のキャリアに対するフィードバック・チャネル・コードワードのいずれかを使用することができる。たとえば、ＭＩＭＯを用いずに動作するキャリアにリリース８  ＨＳ−ＤＰＣＣＨコードワードを使用することができる。そのようなシナリオでは、二重の承認に続いて、ＣＱＩ＝０およびＣＱＩ＝３０を使用することができる。一方のキャリアが無効でありながら、他方は最高の無線状態である可能性は低いため、ＣＱＩの両端２つが使用される。コードワードは、２つのキャリアしか利用しないため、利用可能なメッセージ長を満たすために繰り返される。そのような仕組みを図５に概略的に示している。任意の形式の特別な承認を使用できるが、効率的に動作するためには、一貫性を維持し、ユーザ装置および基地局の両方によって認識されている必要があることを理解されたい。
【０１２４】
特別な承認２００は、たとえば、高い符号化利得を利用するか、またはチェック・サムを利用するようにメッセージが符号化される場合に最適に機能することを理解されたい。いずれの方法も追加的な符号化を利用して、承認メッセージが基地局によって、より高い信頼性で受信されるようにする。
【０１２５】
図６は、特別な承認を利用する一実施形態による再構成方法を概略的に示す図である。そのような仕組みは、一実施形態において、図２ｂに概略的に示すタイプの誤差からの回復を可能にする方法を示している。適切な場合は、参照番号を再び使用した。
【０１２６】
図６に示すシナリオでは、基地局２０は、最初は３つのアクティブなダウンリンク・キャリアＣ１、Ｃ２、Ｃ３を用いて動作する。基地局２０は、２つのセカンダリ・キャリア（Ｃ２およびＣ３）を無効化することを決定し、ユーザ装置５０によって正常に受信される再構成命令１２０を送信する。ユーザ装置は、通常のフィードバック・メカニズム１００を使用して、基地局２０に承認を送信する。しかし、基地局はその通常のフィードバック情報を受信することに失敗する。
【０１２７】
ユーザ装置５０は、基地局２０から再構成命令を受信したときに、特別な承認を自動的に送信するように構成されている。特に、図４に示すようなコードワードを使用して、２つの特別な承認２００を送信するようにプログラムされている。基地局２０は、通常のフィードバックを期待しているが、そのメッセージは受信されない。基地局は、また、２つの特別な承認を期待および受信し、ユーザ装置が実際は再構成命令を正常に受信したことを認識する。図６に示すシナリオでは、ユーザ装置は、１２スロットの再構成期間の間に特別な承認を送信するように動作可能である。再構成の後に、２つのセカンダリ・キャリアＣ２およびＣ３は無効化されているため、ユーザ装置は１つのキャリアに対してフィードバック情報を送信する。基地局は、２つの特別な承認２００を受信し、ユーザ装置が再構成命令を正常に受信したことを認識しているため、このように再構成後に送信されたフィードバック情報を正しく復号することができる。
【０１２８】
図７は、特別な承認を利用する他の実施形態による再構成方法を概略的に示す図である。図７に示すシナリオでは、図２ｃに関して記述したタイプの誤差からの回復を可能にする方法が分かる。図７に示すシナリオでは、基地局２０は、最初は１つのアクティブなキャリアＣ１のみを使用して動作する。基地局２０は、３つのセカンダリ・キャリア（Ｃ２、Ｃ３、およびＣ４）を有効化することを決定する。基地局は、ユーザ装置５０に再構成命令１２０を送信する。しかし、ユーザ装置５０は命令１２０を受信することに失敗し、認識している１つのアクティブなキャリア（Ｃ１）のみに関連する通常のフィードバック１００を基地局５０に送信し続ける。図２ｃに示すシナリオでは、基地局は、再構成命令に対する承認としてユーザ装置によって送信されたフィードバックを誤解釈する可能性がある。この場合、基地局は２つ以上の特別な承認を期待するが、その代わりに、ユーザ装置から通常のフィードバック・メッセージ１００を受信し続ける。その結果、基地局２０は、ユーザ装置５０が再構成命令１２０を受信していないことを認識し、（１つのアクティブなキャリアを持つ）以前の形式を使用して、ユーザ装置によって送信されているフィードバックを復号し続ける。さらに、ユーザ装置５０が再構成命令１２０を受信していないことを認識すると、基地局２０は、Ｃ２、Ｃ３、およびＣ４を有効化するために再び再構成命令１２０を送信することができる（図７にステップを図示せず）。
【０１２９】
本発明の実施形態は、フィードバック情報、特に、再構成命令の承認を正常に受信する可能性を高めることを目的としていることを理解されたい。特に、たとえば承認を特に符号化することによって、より高い保護を用いてフィードバックを再送したり、またはフィードバック・メッセージが正常に受信される可能性を高めたりできる各々の場合において、そのメッセージは複数回、繰り返すことができる。
【０１３０】
上記の様々な方法のステップは、プログラムされたコンピュータによって実行できることは、当業者であれば容易に認識できるであろう。本明細書において、一部の実施形態は、また、たとえば、マシンまたはコンピュータで読み取り可能であり、マシンで実行可能またはコンピュータで実行可能な指示のプログラムを符号化する、デジタル・データ記憶メディアなど、プログラム記憶装置を対象とすることを意図しており、前述の指示は、上記方法の一部またはすべてのステップを実行する。プログラム記憶装置は、たとえば、デジタル・メモリ、磁気ディスクおよび磁気テープ、ハード・ドライブなどの磁気記憶メディア、または光学的に読み取り可能なデジタル・データ記憶メディアなどでもよい。また、実施形態は、上記方法のステップを実行するようにプログラムされたコンピュータを対象にすることを意図している。
【０１３１】
「プロセッサ」または「ロジック」と記載している機能ブロックを含む、図に示した様々な要素の機能は、専用ハードウェア、および適切なソフトウェアと連携してソフトウェアを実行できるハードウェアの使用を通じて提供することができる。プロセッサによって提供される場合、機能は、単一の専用プロセッサによって、単一の共有プロセッサによって、または複数の個々のプロセッサによって提供することができ、その一部は共有することができる。さらに、「プロセッサ」または「コントローラ」または「ロジック」という用語の明示的な使用は、ソフトウェアを実行できるハードウェアを排他的に指すものと解釈するべきではなく、デジタル・シグナル・プロセッサ（ＤＳＰ）ハードウェア、ネットワーク・プロセッサ、特定用途向けＩＣ（ＡＳＩＣ）、フィールド・プログラマブル・ゲートアレイ（ＦＰＧＡ）、ソフトウェアを格納するための読み取り専用メモリ（ＲＯＭ）、ランダム・アクセス・メモリ（ＲＡＭ）、および不揮発性記憶装置を限定することなく、暗黙的に含むことができる。従来および／またはカスタムの他のハードウェアも含むことができる。同様に、図に示したスイッチは、単に概念を示すものである。それらの機能は、プログラム・ロジックの動作を通じて、専用ロジックを通じて、プログラム制御および専用ロジックの対話を通じて、または手動でも、実行することができ、内容からより明確に理解されるように、特定の技術を実装者が選択可能である。
【０１３２】
本明細書に記載のブロック図は、本発明の原理を具体化する実例となる回路の概念を表していることは、当業者なら自明であろう。同様に、フロー・チャート、流れ図、状態遷移図、擬似コードなどは、そのようなコンピュータまたはプロセッサが明示的に示されているかどうかにかかわらず、コンピュータ可読媒体で本質的に表すことができ、コンピュータまたはプロセッサによって実行できる様々なプロセスを表すものであることを理解されたい。
【０１３３】
記述および図は、単に本発明の原理を示すものである。本明細書に明示的に記述または図示していないが、当業者なら、本発明の原理を具体化し、その精神および範囲に含まれる様々な仕組みを考案できるであろうことを理解されたい。さらに、本明細書に詳述したすべての例は、原則として、読者が本発明の原理、およびその技術を推進する発明者によって提供された概念を理解するのを支援するために、教育のみを目的とすることを明確に意図するものであり、そのような具体的に詳述された例および条件に限定しないものとして解釈するべきである。さらに、本明細書において、本発明の原理、態様、および実施形態を詳述するすべての記述、およびその特定の例は、その等価物を包含することを意図するものである。
【図１】
2013534750.tif 000003
【図２ａ】
2013534750.tif 000004
【図２ｂ】
2013534750.tif 000005
【図２ｃ】
2013534750.tif 000006
【図３】
2013534750.tif 000007
【図４】
2013534750.tif 000008
【図５】
2013534750.tif 000009
【図６】
2013534750.tif 000010
【図７】
2013534750.tif 000011
【国際調査報告】
2013534750.tif 000012
2013534750.tif 000013
2013534750.tif 000014